(57)【要約】【課題】呼吸同期ＣＴ撮影において、画質向上の実現を可能とするＸ線コンピュータ断層撮影装置及び画像処理装置の提供。【解決手段】Ｘ線を発生するＸ線管３と、被検体を透過したＸ線を検出するＸ線検出器５と、呼吸指揮情報に基づく速度で閉曲線軌道上を周回移動する呼吸指揮用のマークを含む呼吸指揮画像を発生する画像発生部１７と、Ｘ線検出器５の出力に基づいて断層像を再構成するものであり、被検体の呼吸に同期した画像再構成を行う再構成部１８と、呼吸指揮画像を表示する画像表示部１０、１１とを具備する。【選択図】      図１
2008136668.tif 000002
【特許請求の範囲】
【請求項１】
Ｘ線を発生するＸ線管と、
被検体を透過したＸ線を検出するＸ線検出器と、
呼吸指揮情報に基づく速度で閉曲線軌道上を周回移動する呼吸指揮用のマークを含む呼吸指揮画像を発生する画像発生部と、
前記Ｘ線検出器の出力に基づいて断層像を再構成するものであり、前記被検体の呼吸に同期した画像再構成を行う再構成部と、
前記呼吸指揮画像を表示する画像表示部とを具備するＸ線コンピュータ断層撮影装置。
【請求項２】
操作者が前記呼吸指揮情報を入力するための入力手段をさらに備えることを特徴とする請求項１記載のＸ線コンピュータ断層撮影装置。
【請求項３】
Ｘ線を発生するＸ線管と、
被検体を透過したＸ線を検出するＸ線検出器と、
前記被検体の呼吸情報を得る呼吸情報取得手段と、
前記呼吸情報に基づいて求めた速度で閉曲線軌道上を周回移動する呼吸指揮用のマークを含む呼吸指揮画像を発生する画像発生部と、
前記Ｘ線検出器の出力に基づいて断層像を再構成するものであり、前記被検体の呼吸に同期した画像再構成を行う再構成部と、
前記呼吸指揮画像を表示する被検体用画像表示部とを具備するＸ線コンピュータ断層撮影装置。
【請求項４】
前記呼吸指揮用のマークの移動に同期して、前記Ｘ線管で発生するＸ線の発生／停止又は強度の変調を制御するＸ線制御部をさらに備えることを特徴とする請求項１乃至３のいずれか１項記載のＸ線コンピュータ断層撮影装置。
【請求項５】
前記呼吸指揮画像は、前記閉曲線軌道上におけるＸ線の発生／停止又は強度の変調状況を示す情報を表示するものであることを特徴とする請求項４記載のＸ線コンピュータ断層撮影装置。
【請求項６】
前記再構成部は、呼吸指揮情報に基づいて、前記被検体の呼吸の振幅又は位相に基づいて、前記画像再構成に用いるデータ範囲を決定するものであることを特徴とする請求項１記載のＸ線コンピュータ断層撮影装置。
【請求項７】
前記再構成部は、前記呼吸情報取得手段により取得された呼吸情報に基づいて、前記被検体の呼吸の振幅又は位相に基づいて、前記画像再構成に用いるデータ範囲を決定するものであることを特徴とする請求項３記載のＸ線コンピュータ断層撮影装置。
【請求項８】
Ｘ線を発生するＸ線管と、
被検体を透過したＸ線を検出し、投影データを発生するＸ線検出器と、
前記被検体の呼吸情報を検出する検出手段と、
呼吸指揮情報に基づく速度で閉曲線軌道上を周回移動する呼吸指揮用のマークを含む呼吸指揮画像を発生する画像発生部と、
前記呼吸情報、前記呼吸指揮情報、前記投影データを記憶する記憶手段と、
前記投影データに基づいて被検体の呼吸に同期した画像再構成を行う再構成部とを具備するＸ線コンピュータ断層撮影装置。
【請求項９】
前記再構成部は、前記呼吸情報、前記呼吸指揮情報の少なくとも一方に基づいて、呼吸に同期した前記画像再構成を行なうものであることを特徴とする請求項８記載のＸ線コンピュータ断層撮影装置。
【請求項１０】
Ｘ線コンピュータ断層撮影装置で収集された投影データに基づいて画像の再構成を行う画像処理装置において、
検出手段により検出された被検体の呼吸情報、Ｘ線コンピュータ断層撮影装置において呼吸の指示を被検体に提供した際の呼吸指揮情報、前記投影データを記憶する記憶手段と、
前記呼吸情報及び前記呼吸指揮情報を用いて、再構成処理の条件設定のための画面を表示する設定手段と、
前記設定手段による設定情報及び前記投影データに基づいて、被検体の呼吸に同期した画像再構成を行う再構成部とを具備する画像処理装置。
【発明の詳細な説明】
【技術分野】
【０００１】
本発明は、呼吸に同期して撮影及び再構成を行う機能を有するＸ線コンピュータ断層撮影装置及び画像処理装置に関する。
【背景技術】
【０００２】
従来の技術として被検体の呼吸に同期して撮影を行う呼吸同期スキャンがある。この呼吸同期スキャンは不規則な被検体の呼吸による動きの変位(呼吸動）を計測し、この不規則な呼吸動のデータに基づいて再構成を行っていた。
【特許文献１】特開２００１―３４６７７３公報
【発明の開示】
【発明が解決しようとする課題】
【０００３】
本発明の目的は、呼吸同期ＣＴ撮影において、画質向上の実現を可能とするＸ線コンピュータ断層撮影装置及び画像処理装置を提供することにある。
【課題を解決するための手段】
【０００４】
上記目的を達成するために本発明は、第１の局面において、Ｘ線を発生するＸ線管と、被検体を透過したＸ線を検出するＸ線検出器と、呼吸指揮情報に基づく速度で閉曲線軌道上を周回移動する呼吸指揮用のマークを含む呼吸指揮画像を生成発生する画像発生部と、前記Ｘ線検出器の出力に基づいて断層像を再構成するものであり、前記被検体の呼吸に同期した画像再構成を行う再構成部と、前記呼吸指揮画像を表示する画像表示部とを具備する。
【０００５】
本発明の第２の局面において、Ｘ線を発生するＸ線管と、被検体を透過したＸ線を検出するＸ線検出器と、前記被検体の呼吸情報を得る呼吸情報取得手段と、前記呼吸情報に基づいて求めた速度で閉曲線軌道上を周回移動する呼吸指揮用のマークを含む呼吸指揮画像を発生する画像発生部と、前記Ｘ線検出器の出力に基づいて断層像を再構成するものであり、前記被検体の呼吸に同期した画像再構成を行う再構成部と、前記呼吸指揮画像を表示する被検体用画像表示部とを具備する。
【発明の効果】
【０００６】
本発明によれば、呼吸同期ＣＴ撮影において、画質向上の実現が可能となる。
【発明を実施するための最良の形態】
【０００７】
以下、本発明に係わるＸ線コンピュータ断層撮影装置を実施形態により説明する。なお、Ｘ線コンピュータ断層撮影装置には、Ｘ線管とＸ線検出器とが１体となって被検体の周囲を回転する回転／回転型（ＲＯＴＡＴＥ／ＲＯＴＡＴＥ―ＴＹＰＥ）や、リング状にアレイされた多数の検出素子が固定され、Ｘ線管のみが被検体の周囲を回転する固定／回転型（ＳＴＡＴＩＯＮＡＲＹ／ＲＯＴＡＴＥ―ＴＹＰＥ）等様々なタイプがあるが、いずれのタイプでも本発明は適用可能である。本実施形態においては回転／回転型として説明する。
【０００８】
図１は本発明の実施形態に係わるコンピュータ断層撮影装置の構成を示す図である。架台（ガントリ）１は、円環又は円板状の回転フレーム２を回転可能に支持する。回転フレーム２は、撮影領域中に天板４に配置された被検体を挟んで対向するようにＸ線管３とＸ線検出器５とを有する。回転フレーム２は、システム制御部１３の制御により回転する。この回転フレーム２の回転に伴って、Ｘ線管３とＸ線検出器５とが被検体の周囲を回転する。高電圧発生装置１２からＸ線管３に高電圧が印加されたとき、Ｘ線管３からＸ線が発生する。Ｘ線管３から発生し、被検体を透過したＸ線は、Ｘ線検出器５で検出され、データ収集部６に投影データとして収集される。
【０００９】
呼吸情報取得部１６は、被検体が呼吸することによって変化する胸の動き（呼吸動）を計測することによって呼吸指標値の時間変化（呼吸情報）を取得する。呼吸指標値は、例えば、被検体が呼吸することによって変化する胸の厚さ等である。以下、呼吸指標値は、胸の厚さとして説明する。呼吸情報取得部１６は、具体的には、カメラ等により撮影された被検体の胸の厚さ（呼吸指標値）の時間変化を計測する。この胸の厚さ（呼吸指標値）の時間変化をグラフで表わしたものを呼吸動変化曲線と呼ぶことにする。図２は、呼吸動変化曲線を示す図であり、胸の厚さ（Ｘ）を縦軸に、時間（Ｔ）を横軸にとったグラフである。図２に示すように、呼吸動変化曲線の周期及び振幅は不規則である。つまり、呼吸による胸の厚さの変化（Ｘ）は呼吸ごとに異なり、また、呼吸の１サイクルの長さも呼吸ごとに異なる。
【００１０】
呼吸指揮情報生成部１４は、呼吸動計測部１６により取得された呼吸情報に基づいて一定の振幅で規則的に時間変化する規則的な呼吸指標値の時間変化（呼吸指揮情報）を生成する。この規則的な呼吸指標値の時間変化をグラフで表わしたものを呼吸指揮曲線と呼ぶことにする。呼吸指揮情報生成部１４は、呼吸動変化曲線の呼吸指標値（Ｘ）の各最大ピーク位置及び最小ピーク位置の時間間隔の平均値等によって呼吸指揮曲線の周期を算出する。また、呼吸指揮情報生成部１４は、呼吸動変化曲線の呼吸指標値（Ｘ）の各最大ピーク値及び最小ピーク値の平均値に基づいて呼吸指揮曲線の振幅を算出する。図３は、呼吸指揮曲線を示す図であり、呼吸指標値（Ｘ）を縦軸に、時間（Ｔ）を横軸にとったグラフである。図３に示すように、呼吸指揮曲線の周期及び振幅は一定、つまり規則的である。呼吸指揮情報生成部１４は、算出された周期と振幅とを固定せず、呼吸情報取得部１６で常に取得されている呼吸情報の周期と振幅との変動に応じて、呼吸指揮情報の周期と振幅とを変動させることも可能である。
【００１１】
画像発生部１７は、呼吸指揮曲線によって示される呼吸指標値の規則的な時間変化を位相変化に変換し、この呼吸指標値の規則的な位相変化を閉曲線軌道を周回運動するマークを含む画像を発生する。この画像を呼吸指揮画像と呼ぶことにする。図４は、この呼吸指揮画像を示した図である。図４で示した呼吸指揮画像の閉曲線軌道の一周は、呼吸位相の０°〜３６０°に対応する。なお、図４に示す呼吸指揮画像の閉曲線軌道は一例として円軌道であるが、これにとらわれる必要はなく、楕円軌道等であっても良い。閉曲線軌道上を周回移動するマーク（図４の丸）は、呼吸指標値の規則的な位相変化を表わし、位相変化に基づく速さで周回移動する。
【００１２】
被検体用画像表示部１０と操作者用画像表示部１１とは、ＣＲＴ（Ｃａｔｈｏｄｅ  Ｒａｙ  Ｔｕｂｅ）、ＬＣＤ（Ｌｉｑｕｉｄ  Ｃｒｙｓｔａｌ  Ｄｉｓｐｌａｙ）等からなるモニタを備えている。被検体用画像表示部１０は、ガントリ１等の被検体が見える場所に設置される。操作者用画像表示部１１は、操作部１９等の操作者が見える場所に設置される。
【００１３】
操作者は、操作部１９を介して操作者用画像表示部１１に表示される呼吸指揮画像上でＸ線強度の変調を行う呼吸位相（変調期間）を指定する。言い換えると、操作者は、投影データを収集する期間を呼吸指揮画像上で指定する。Ｘ線制御部８は、Ｘ線強度の変調タイミングに同期してＸ線の発生を制御するためのＸ線制御信号を高電圧発生部７に供給する。
【００１４】
操作部１９は、マウス等のポインティングデバイスを備え、操作者用画像表示部１１上に表示されるカーソルやポインターの座標を検出し、検出した座標をシステム制御部１３に出力する。また、選択部１９はＣＲＴ又はＬＣＤ等により構成される操作者用画像表示部１１を覆うように設けられたタッチパネルを備えるものとしてもよく、電磁誘導式、磁気歪式、感圧式等の座標読取り原理でタッチ指示された座標を検出し、検出した座標を位置信号としてシステム制御部１３に出力する。更に、操作部１９は、カーソルキー及び各種機能キーを備えたキーボードを備えるものとしてもよい。
【００１５】
再構成部１８は、投影データに基づいて断層像を再構成する（再構成処理）。再構成処理の種類は、３６０°分の投影データから断層像を再構成するフル再構成や１８０°＋ファン角分の投影データから断層像を再構成するハーフ再構成等が採用される。
【００１６】
記憶部１５は、呼吸情報と呼吸指揮情報と投影データとを記憶する。
【００１７】
以下、図５を参照しながら、本実施形態の１動作例を説明する。  
呼吸情報取得部１６は、被検体の自由な呼吸による呼吸情報を取得する（ステップＳＡ１）。この段階における呼吸情報をグラフ化した呼吸動計測曲線は、図２に示すような、不規則な変化を示す。次に、呼吸指揮情報生成部１４は、呼吸情報に基づいて規則的な呼吸指標値の時間変化（呼吸指揮情報）を生成する（ステップＳＡ２）。
【００１８】
次に画像発生部１７は、呼吸指揮情報を位相変化に変換し、呼吸指揮情報の位相変化を円運動で表現する画像（呼吸指揮画像）を発生し（ステップＳＡ３）、被検体用画像表示部１０と操作者用画像表示部１１とは、呼吸指揮画像を表示する（ステップＳＡ４）。被検体は、被検体用画像表示部１０に表示される呼吸指揮画像の動きに合わせて呼吸を行う。例えば、操作者は、被検体に呼吸指揮画像の丸が上に来た時に息を吸って、丸が下に来た時に息を吐くように指示をする。被検体が、呼吸指揮画像に合わせて呼吸を行うことで、同じ深さ、同じ周期で呼吸することが可能となる。また、呼吸指揮画像の丸が、被検体が息を吸う位置に来た時は速く動いて、被検体が息を吐く位置にきた時はゆっくり動くと、より被検体は自然な呼吸ができる。
【００１９】
操作者は、操作部１９を介して呼吸指揮画像上でＸ線変調をする呼吸位相（変調期間）を指定する（ステップＳＡ５）。図６は呼吸指揮画像上で呼吸位相を指定する処理を説明する図である。図７に示すように、操作者は、例えば、操作部１９で呼吸指揮画像上の円軌道のある呼吸位相を指定する。つまり、始めに指定した位相（第１位相α°）と２回目に指定した位相（第２位相β°）との間の期間が変調期間となる。また、呼吸位相を１回指定し、その指定した呼吸位相を中心とした一定幅（例えば、５０°〜６０°程度）を変調期間としてもよい。また、操作部１９をキーボード等とした場合、操作部１９により直接呼吸位相の範囲を入力するとしてもよい。被検体の呼吸タイミングと呼吸指揮画像の動きとが一致しない場合、操作者は、操作者用画像表示部１１上で呼吸指揮画像の円運動の動きを速めたり位置を動かすことが可能である。操作者が操作者用画像表示部１１上の呼吸指揮画像の円運動の動きを変更した場合、その変更箇所が被検体用画像表示部１０上の呼吸指揮画像の円運動の動きにも即座に反映される。
【００２０】
操作者は、操作者用画像表示部１１に表示されている呼吸動変化曲線と呼吸指揮曲線との波形がほぼ一致した判断したとき、操作部１９を介して、スキャントリガを押す（ステップＳＡ６）。図７は、スキャン開始時における呼吸動変化曲線（ａ）と呼吸指揮曲線（ｂ）とを示す図である。呼吸動変化曲線（ａ）と呼吸指揮曲線（ｂ）との縦軸は呼吸指標値（Ｘ）、横軸は時間（Ｔ）である。呼吸指揮情報生成部１４は、呼吸情報に基づいて、時刻Ｔiになると呼吸指揮情報を生成する。呼吸指揮情報が生成されると、画像発生部１７は呼吸指揮画像を発生し、被検体用画像表示部１０と操作者用画像表示部１１とに呼吸指揮画像を表示する。被検体は、被検体用画像表示部１０に表示されている呼吸指揮画像を見ながら呼吸を行い、操作者は、操作者用画像表示部１１に表示されている呼吸指揮曲線と呼吸動変化曲線とが大体一致したかどうか判断し、一致したと判断すると（時刻Ｔj）スキャンを開始する。時刻Ｔj以降は、呼吸指揮画像の円運動の動きは固定される。
【００２１】
スキャントリガが押されると、Ｘ線制御部８は呼吸指揮情報に同期してＸ線を変調する（スッテプＳＡ７）。図８は、Ｘ線管３から発生されるＸ線の強度と変調タイミングの関係を示す図である。図８（ａ）は、Ｘ線管３から発生されるＸ線の強度（Ｉ）を縦軸に、時間（Ｔ）を横軸にとったグラフにステップＳＡ５で指定された変調期間を示した図である。図８（ｂ）は、呼吸指揮曲線とステップＳＡ５で指定された変調期間を示した図である。図８に示すように、操作部１９で指定された変調期間では、Ｘ線制御部８はＨｉｇｈレベルのＸ線制御信号を高電圧発生部７に供給し、Ｘ線管３から十分な画質が得られる程度のＸ線強度のＸ線（Ｈｉｇｈ）が発生される。変調期間以外の期間では、Ｘ線制御部８はＬｏｗレベルのＸ線制御信号を高電圧発生部７に供給し、再構成する際の対向データを生成するに十分なＸ線強度のＸ線（Ｌｏｗ）がＸ線管３から発生される。なお、変調期間以外の期間には、Ｘ線管３からＸ線を発生させなくてもよい。この際、呼吸情報と呼吸指揮情報とは投影データと関連付けられて記憶部１５に記憶される。
【００２２】
操作者は、記憶部１５に記憶された呼吸情報と呼吸指揮情報とに基づいて再構成する範囲を指定する（ステップＳＡ７）。図９は、本実施形態に関わる再構成の編集画面の一例を示す図である。図９に示す再構成の編集画面は、操作者用画像表示部１１に表示される。画面左上の領域２０には、Ｘ線の強度（Ｉ）の時間変化をグラフにしたものである。画面左側中間部の領域２１には呼吸指揮曲線、画面左下の領域２２には呼吸動変化曲線が表示される。画面右上の領域２３は、呼吸指揮情報ボタン２４と呼吸情報ボタン１５とが表示される。呼吸指揮情報ボタン２４を選択すると、呼吸指揮曲線２１上で再構成範囲を指定し、呼吸情報ボタン２５を選択すると、呼吸動変化曲線２２上で再構成範囲を指定する。
【００２３】
画面右側中間部の領域２６には、位相ボタン２７と振幅上下ボタン２８と振幅上ボタン２９と振幅下ボタン３０とが表示される。なお、再構成範囲はステップＳＡ５で指定される変調期間に含まれるのが望ましい。位相ボタン２７を選択すると、操作者は、操作部１９を介して呼吸指揮曲線２１又は呼吸動変化曲線２２上で再構成したい時相の範囲を指定することができる。図１０は、呼吸指揮曲線２１又は呼吸動変化曲線２２上で再構成の範囲を時相の範囲で指定する処理を説明するための図である。時相の範囲の指定方法は、例えば、操作部１９で呼吸指揮曲線２１又は呼吸動変化曲線２２上のある時相を指定すると、その時相を中心とした一定期間を再構成範囲とする方法がある。また、操作部１９をキーボード等とした場合、操作部１９により直接時相の範囲を入力するとしてもよい。
【００２４】
振幅上下ボタン２８を選択すると、呼吸指揮曲線２１又は呼吸動変化曲線２２上で再構成したい振幅の範囲を指定することができる。振幅上ボタン２９を選択すると、呼吸指揮曲線２１又は呼吸動変化曲線２２上で振幅が大きくなる範囲（息を吸う範囲）に限定して再構成したい振幅の範囲を指定することができる。振幅下３０ボタンを選択すると、呼吸指揮曲線２１又は呼吸動変化曲線２２上で振幅が小さくなる範囲（息を吐く範囲）に限定して再構成したい振幅の範囲を指定することができる。図１１は、呼吸指揮曲線２１又は呼吸動変化曲線２２上で再構成の範囲を振幅の範囲で指定する処理を説明するための図である。振幅の範囲の指定方法は、位相の範囲の指定方法と同様な方法が考えられる。なお、図１１の”上”と”下”とはそれぞれ振幅が大きくなる範囲（息を吸う範囲）と振幅が小さくなる範囲（息を吐く範囲）とに対応する。
【００２５】
ここで、振幅の範囲を大きくなる方と小さくなる方とに分けたのは以下の理由による。一般に、肺の形状は、胸の厚さ（Ｘ）が同じでも、息を吸っているときと吐いているときとでは異なる。そのため、息を吸っているときの投影データと息を吐いているときの投影データとを一緒にして再構成を行うとアーチファクトが生じてしまう。そこで、再構成範囲を指定する際、振幅の範囲を息を吸っている方（振幅が大きくなる方）と吐いている方（振幅が小さくなる方）とを区別することによりアーチファクトを低減することが可能となる。
【００２６】
呼吸動変化曲線２２を用いて振幅の範囲により再構成範囲を指定する場合、振幅の最大ピーク値及び最小ピーク値が大きくばらつく場合がある。このような場合、呼吸情報取得部１６は、各ピーク値を揃えるために呼吸動変化曲線に対して正規化を行ってもよい。
【００２７】
操作者が図９の再構成ボタン３１を選択すると、再構成部１８は、指定した再構成範囲における投影データに基づいて再構成を行う(ステップＳＡ８）。
【００２８】
かくして本実施形態によれば、呼吸同期ＣＴ撮影において、画質の向上を実現することが可能となる。
【００２９】
（本実施形態の変形例）
本実施形態の変形例では呼吸情報取得部１６を削除した場合を説明する。呼吸情報取得部１６がない以外は、本実施形態の構成要素と同様なので同じ符号を付して説明は省略する。
【００３０】
以下、図１２を参照しながら本実施形態の変形例の１動作例を説明する。  
まず、被検体用画像表示部１０と操作者用画像表示部１１とは、呼吸指揮画像を表示する（ステップＳＢ１）。この段階で表示する呼吸指揮画像の円運動するマークの速度（呼吸指揮情報）は、被検体の呼吸に合わせたものではなく、操作者等よって入力又はシステム制御部１３等により自動的に決定された適当な速度である。
【００３１】
被検体は、被検体用画像表示部１０に表示された呼吸指揮画像の円運動するマークを見ながら呼吸を行う。必要であれば、操作者は、操作者用画像表示部１１上で呼吸指揮画像の円運動するマークの動きを速めたり位置を動かすことにより円運動するマークの動きを被検体の自然な呼吸に合わせていく（ステップＳＢ２）。次に、操作者は、呼吸指揮画像上で、Ｘ線強度を変調する呼吸位相（変調期間）を指定する（ステップＳＢ３）。次に、操作者は、被検体の呼吸と呼吸指揮画像の動きとがほぼ一致した判断したとき、操作部１９を介して、スキャントリガを押す（ステップＳＢ４）。スキャントリガが押されると、Ｘ線制御部８は、呼吸指揮情報に同期しながらＸ線を変調する（ステップＳＢ５）。
【００３２】
次に操作者は、操作部１９を介して、呼吸指揮情報に基づいて再構成する範囲を指定する（ステップＳＢ６）。図１３は、本実施形態に関わる再構成の編集画面の一例を示す図である。図１３に示す再構成の編集画面は、操作者用画像表示部１１に表示される。画面左上の領域４０には、Ｘ線の強度（Ｉ）の時間変化をグラフにしたものである。画面左下の領域４１には呼吸指揮曲線が表示される。画面右上の領域４２には、位相ボタン４３と振幅上下ボタン４４と振幅上ボタン４５と振幅下ボタン４６とが表示される。位相ボタン４３を選択すると、操作者は、操作部１９を介して呼吸指揮曲線２１上で再構成したい時相の範囲を指定することができる。振幅上下ボタン４４を選択すると、呼吸指揮曲線４１上で再構成したい振幅の範囲を指定することができる。振幅上ボタン２９を選択すると、呼吸指揮曲線４１上で振幅が大きくなる範囲（息を吸う範囲）に限定して再構成したい振幅の範囲を指定することができる。振幅下３０ボタンを選択すると、呼吸指揮曲線４１上で振幅が小さくなる範囲（息を吐く範囲）に限定して再構成したい振幅の範囲を指定することができる。
【００３３】
操作部１９を介して図１３の再構成ボタン４７を選択すると、再構成部１８は、指定した再構成期間における投影データに基づいて再構成を行う（ステップＳＢ７）。
【００３４】
かくして本実施形態の変形例によれば、呼吸同期ＣＴ撮影において、画質の向上を実現することが可能となる。
【００３５】
なお、本発明は上記実施形態そのままに限定されるものではなく、実施段階ではその要旨を逸脱しない範囲で構成要素を変形して具体化できる。具体的な変形例としては、例えば次のようなものがある。
【００３６】
（１）図１に示すような、本実施形態に係る記憶部１５、操作者用表示部１１、操作部１９、再構成部１８を備える画像処理装置（ワークステーション）９０等によっても本実施形態に関わる呼吸に同期した再構成処理を実現することができる。記憶部１５は、Ｘ線コンピュータ断層撮影装置によって収集された被検体の呼吸情報、呼吸指揮情報、投影データを記憶する。操作者用表示部１１は、再構成処理に用いる投影データの範囲を設定するための再構成の編集画面を表示部する。操作部１９は、データ範囲の設定等を行うためのポインティングデバイス、タッチパネル、キーボード等である。再構成部１８は、設定条件における投影データに基づいて再構成を行う。
【００３７】
（２）上記各実施形態では、Ｘ線制御部８によりＸ線の発生／停止又は強度変調を行う場合を示したが、これを行わず、投影データ収集期間中常に一定強度のＸ線を発生させるとしてもよい。
【００３８】
（３）上記各実施形態では、ダイナミックＣＴの場合を説明したがこれに限定する必要はなく、ヘリカルスキャンや１回のスキャン等においても本実施形態は適用可能である。
【００３９】
また、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４０】
【図１】本発明の実施形態に関わるＸ線コンピュータ断層撮影装置の構成を示す図。
【図２】図１の呼吸情報取得部により生成される呼吸動変化曲線を示す図。
【図３】図１の呼吸指揮情報生成部により生成される呼吸指揮曲線を示す図。
【図４】図１の被検体用画像表示部に表示される呼吸指揮画像を示す図。
【図５】本実施形態の１動作例を示す図。
【図６】図１の操作者用画像表示部に表示される呼吸指揮画像を示す図。
【図７】スキャン開始時における呼吸動変化曲線（ａ）と呼吸指揮曲線（ｂ）とを示す図。
【図８】図１のＸ線管から発生されるＸ線の強度と変調期間の関係を示す図。
【図９】本実施形態に係わる図１の操作者用画像表示部に表示される再構成の編集画面の一例を示す図。
【図１０】図９の呼吸指揮曲線又は呼吸動変化曲線上で再構成の範囲を位相の範囲で指定する処理を説明するための図。
【図１１】図９の呼吸指揮曲線又は呼吸動変化曲線上で再構成の範囲を振幅の範囲で指定する処理を説明するための図。
【図１２】本実施形態の変形例の１動作例を示す図。
【図１３】本実施形態の変形例に係わる図１の操作者用画像表示部に表示される再構成の編集画面の一例を示す図。
【符号の説明】
【００４１】
１…架台、２…回転フレーム、３…Ｘ線管、４…天板、５…Ｘ線検出器、６…データ収集部、７…高電圧発生部、８…Ｘ線制御部、１０…被検体用画像表示部、１１…操作者用画像表示部、１３…システム制御部、１４…呼吸指揮情報生成部、１５…記憶部、１６…呼吸情報取得部、１７…画像発生部、１８…再構成部、１９…操作部、９０…画像処理装置。
【図１】
2008136668.tif 000003
【図２】
2008136668.tif 000004
【図３】
2008136668.tif 000005
【図４】
2008136668.tif 000006
【図５】
2008136668.tif 000007
【図６】
2008136668.tif 000008
【図７】
2008136668.tif 000009
【図８】
2008136668.tif 000010
【図９】
2008136668.tif 000011
【図１０】
2008136668.tif 000012
【図１１】
2008136668.tif 000013
【図１２】
2008136668.tif 000014
【図１３】
2008136668.tif 000015